(57)【要約】【課題】バケット内に限らず、バルーンの位置を定めて、また、常時適切な圧力の空気を効率的に送ることが出来る足踏み式エアポンプを提供する。【解決手段】基台１上の前部に、箱状の枠体２を設け、枠体２内に設けた水平な回転軸２ｃの両端を枠体２の外側に突出させ、枠体２の外側に設けたペダル３の一側を回転軸２ｃの両端に固定して、ペダル３を回転軸２ｃを中心に回動自在とし、枠体２内に弾性体から成るバルーン４を収納し、ペダル３の動きによる回転軸２ｃの回転に連動して回動する第１押圧板６及び第２押圧板７を枠体２内に設け、第１押圧板６及び第２押圧板７の回動によりバルーン４を押圧、収縮させる構成とし、バルーン４の空気孔４ｂを有する首部４ａを開口５ａを設けて枠体２外に導出させ、ペダル３を常時開の状態に保持するバネ手段３ｂを設けた。【選択図】図１
0003217467.tif 000002
【実用新案登録請求の範囲】
【請求項１】
平板形状の基台上の前部に、箱状の枠体を設け、当該枠体内に設けた水平な回転軸の両端を枠体の外側に突出させ、当該枠体の外側に設けたペダルの一側を前記回転軸の両端に固定して、前記ペダルを前記回転軸を中心に回動自在とし、
前記枠体内に弾性体から成るバルーンを収納し、
前記ペダルの動きによる回転軸の回転に連動して回動する押圧板を枠体内に設け、当該押圧板の回動により前記バルーンを押圧、収縮させる構成とし、
前記バルーンの空気孔を有する首部又は前記空気孔とつながったエアホースを開口を設けて前記枠体外に導出させ、前記ペダルを常時開の状態に保持するバネ手段を設けたことを特徴とする、足踏み式エアポンプ。
【請求項２】
前記バルーンを縦にして、空気孔を有する首部又は前記首部の空気孔とつながったエアホースを前記枠体の天井に設けた開口から枠体外に突出させたことを特徴とする、前記請求項１に記載の足踏み式エアポンプ。
【請求項３】
前記バルーンを横にして、空気孔を有する首部又は前記首部の空気孔とつながったエアホースを枠体の側板に設けた開口から枠体外に導出させたことを特徴とする、前記請求項１に記載の足踏み式エアポンプ。
【請求項４】
前記押圧板は、前記回転軸に一端を固定された第１押圧板と、前記回転軸と反対側に軸支された第２押圧板とから成り、
前記第２押圧板は、前記第１押圧板の上に位置し、当該第１押圧板の回動により前記第２押圧板が押し上げられて、前記バルーンを押圧、収縮させる構成であることを特徴とした前記請求項１、２又は３の何れかに記載の足踏み式エアポンプ。
【請求項５】
前記バルーンは、前記第２押圧板の上に係止されていることを特徴とする、前記請求項４に記載の足踏み式エアポンプ。
【請求項６】
前記枠体の側板上部から、前記ペダルの上方に板状のカバーを突設させたことを特徴とする前記請求項１、２、３、４又は５の何れかに記載の足踏み式エアポンプ。
【考案の詳細な説明】
【技術分野】
【０００１】
この考案は、エアポンプに関するものであり、特に、足で踏んで操作する、足踏み式のエアポンプに関するものである。
【背景技術】
【０００２】
従来、社会の様々な場面でエアポンプが使用されている。簡便な手動式のものでは、海やプールで使用する浮き輪等に空気を入れたり、居間や車中で使用するエアクッションに空気を入れたりする際に使用されている。
【０００３】
その様な中、電気工事、特に活線作業において、工事車輌のバケットの中でホットスティックを使用して架空配電線にスリーブを取付ける際、油圧による圧縮工具の圧縮を行う作業があり、この作業においては、圧縮工具の油圧機器のスイッチに簡便なエアポンプを使用している。
【０００４】
このエアポンプは、ゴム製のバルーンと呼ばれるもので、これをバケット内において、作業者が当該バルーンを押して空気を送り、油圧機器の作業スイッチとしている。
【０００５】
この様なものとして、非特許文献１に記載されたものがある。このエアポンプは、圧縮自在で内部に空気を蓄えている。これを使用する際には、作業者の両手はホットスティックを持っているのでふさがっており、作業者は、エアポンプから空気を送るのに、バケットの床に転がしているバルーンを足で踏んだり、又は当該バルーンを腰とバケットとの間に挟んで押している。
【先行技術文献】
【特許文献】
【０００６】
【非特許文献１】株式会社アイチコーポレーションのウエブサイトより「スカイマスターSH15B SN15B」パンフレット、2018年4月6日プリントアウト  第15頁中段「ブースタ」欄、「バルーン操作式」及び第18頁中段「ツール」欄、「バルーンスイッチ」参照
【考案の開示】
【考案が解決しようとする課題】
【０００７】
しかしながら、前記非特許文献１のものでは、バケット内でバルーンを床に転がし、足で踏んで使用する場合、転がっている場所を確認し、その後、確実に踏み込める位置又は状態で踏み込まなければ期待される圧力の空気が得られず、その為の手間がかかり効率的と言えるものではなかった。また、腰とバケットとの間に挟んだバルーンを押圧する場合も、確実に押圧できる位置又は状態で押圧しなければ期待される圧力の空気が得られず、さらに、バルーン自体が落下することもあり、効率的に押圧できるものではなかった。
【０００８】
この考案は、これらの点に鑑みて為されたもので、前記バケット内に限らず、バルーンの位置を定めて、また、常時適切な圧力の空気を効率的に送ることが出来る足踏み式エアポンプを提供して前記課題を解決するものである。
【課題を解決するための手段】
【０００９】
請求項１の考案は、平板形状の基台上の前部に、箱状の枠体を設け、当該枠体内に設けた水平な回転軸の両端を枠体の外側に突出させ、当該枠体の外側に設けたペダルの一側を前記回転軸の両端に固定して、前記ペダルを前記回転軸を中心に回動自在とし、前記枠体内に弾性体から成るバルーンを収納し、前記ペダルの動きによる回転軸の回転に連動して回動する押圧板を枠体内に設け、当該押圧板の回動により前記バルーンを押圧、収縮させる構成とし、前記バルーンの空気孔を有する首部又は前記空気孔とつながったエアホースを開口を設けて前記枠体外に導出させ、前記ペダルを常時開の状態に保持するバネ手段を設けた、足踏み式エアポンプとした。
【００１０】
請求項２の考案は、前記バルーンを縦にして、空気孔を有する首部又は前記首部の空気孔とつながったエアホースを前記枠体の天井に設けた開口から枠体外に突出させた、前記請求項１に記載の足踏み式エアポンプとした。
【００１１】
請求項３の考案は、前記バルーンを横にして、空気孔を有する首部又は前記首部の空気孔とつながったエアホースを枠体の側板に設けた開口から枠体外に導出させた、前記請求項１に記載の足踏み式エアポンプとした。
【００１２】
請求項４の考案は、前記押圧板は、前記回転軸に一端を固定された第１押圧板と、前記回転軸と反対側に軸支された第２押圧板とから成り、前記第２押圧板は、前記第１押圧板の上に位置し、当該第１押圧板の回動により前記第２押圧板が押し上げられて、前記バルーンを押圧、収縮させる構成である、前記請求項１、２又は３の何れかに記載の足踏み式エアポンプとした。
【００１３】
請求項５の考案は、前記バルーンは、前記第２押圧板の上に係止されている、前記請求項４に記載の足踏み式エアポンプとした。
【００１４】
請求項６の考案は、前記枠体の側板上部から、前記ペダルの上方に板状のカバーを突設させた、前記請求項１、２、３、４又は５の何れかに記載の足踏み式エアポンプとした。
【考案の効果】
【００１５】
請求項１、２及び３の各考案によれば、バルーンを基台の上に設けた枠体内に収納しているため、従来のバルーンのみから成るエアポンプと比べ、その位置が安定しており、使用し易い。また、バルーンはエアポンプ内で常時エアを排出出来る状態で維持しておくことができ、枠体の後方に設けたペダルを押せば、一定の圧力の空気を確実に送り出すことが出来、エアポンプとして使い勝手が良く、また、信頼性が高いものである。
【００１６】
請求項４の考案によれば、前記押圧板は、前記回転軸に一端を固定された第１押圧板と、前記回転軸と反対側に軸支された第２押圧板とから成り、前記第２押圧板は、前記第１押圧板の上に位置し、第１押圧板の回動により第２押圧板が押し上げられて、前記バルーンを押圧、収縮させる構成としたので、当該バルーンがより確実に押圧され、一定の圧力の空気を確実に送り出すことが出来、エアポンプとして使い勝手が良く、また、信頼性が高いものである。
【００１７】
請求項５の考案によれば、バルーンが第２押圧板上に係止されているため、むやみにバルーンが動かず、第２押圧板により確実に押圧、収縮することが出来る。
【００１８】
請求項６の考案によれば、前記枠体の側板上部から、前記ペダルの上方に板状のカバーを突設させたので、上方からこのエアポンプに対して工具等が落ちてきたとしてもカバーがあるのでむやみにペダルが押されることがなく、エアポンプとして信頼性が高いものである。
【図面の簡単な説明】
【００１９】
【図１】この考案の実施の形態例１の足踏み式エアポンプの靴挿入口に靴を入れてペダルを踏み込み、バルーン内からエアを排出させている状態の一部断面図である。
【図２】この考案の実施の形態例１の足踏み式エアポンプの縦断面図である。
【図３】この考案の実施の形態例１の足踏み式エアポンプのカバーを外した状態の縦断面図である。
【図４】前記図３における側面図である。
【図５】前記図３の平面図である。
【図６】この考案の実施の形態例１の足踏み式エアポンプのカバーの縦断面図である。
【図７】前記図６の平面図である。
【図８】この考案の実施の形態例１の足踏み式エアポンプの平面図である。
【図９】この考案の実施の形態例２の足踏み式エアポンプの縦断面図である。
【図１０】この考案の実施の形態例２の足踏み式エアポンプのカバーを外した状態の平面図である。
【考案を実施するための最良の形態】
【００２０】
（実施の形態例１）
以下、この考案の実施の形態例１の足踏み式エアポンプ（以下、単に、「エアポンプ」と言う。）Ａを図に基づいて説明する。このエアポンプＡは、図２に示す様に、基台１、枠体２、ペダル３、押圧板（第１押圧板及び第２押圧板）、バルーン４及びカバー５から成る。また、ここでは、図２における左側をこのエアポンプＡの前側とし、同様に右側を後側とし、図２の手前側をこのエアポンプＡの左側とし、同様に向こう側を右側として説明する。
【００２１】
前記基台１は、図２に示す様に、平面視長方形状（図５参照）で前部に、当該前部の外形に概ね沿って、平面四角形状の四側板から成る枠体２を立設して、上面が開口した空間を設けている。
【００２２】
また、図２、図３及び図４に示すように、前記枠体２の後部の左側板２ａ及び右側板２ｂに水平な回転軸２ｃを渡し、この回転軸２ｃの左側板２ａ、右側板２ｂの外側に突出した両端には、平板状であって左右の相対向する両端から脚部３ａを突出して成るペダル３の当該両脚部３ａ、３ａを固定して当該ペダル３を前記回転軸２ｃを中心に上下方向に回動自在に設けている。
【００２３】
また、前記ペダル３は、枠体２の後方に位置し、このペダル３の下面と基台１の間にはバネ３ｂを配置しており、前記ペダル３は通常開く様に付勢されている。さらに、前記基台１上の左右端縁には、前記ペダル３の脚部３ａ、３ａの先端の突出部の下面を受ける柱状のストッパー１ａが夫々設けられている。
【００２４】
また、枠体２内の前記回転軸２ｃには、前記第１押圧板６の一端を固着して設けており、この第１押圧板６の他端を下方に向けて屈曲させて鉤型に形成している。
【００２５】
さらに、図２、図４及び図５に示すように、一端を前記枠体２内の前部の底部に設けた蝶番７aに軸支された第２押圧板７が前記蝶番７ａを中心に回動自在に設けられている。この第２押圧板７の自由端は、前記第１押圧板６の上に重ねられている。また、この第２押圧板７の自由端の上面には凸形状で合成ゴムから成る押圧体７ｂを設けている。
【００２６】
また、図２に示すように、前記押圧体７ｂ上には徳利型の合成ゴムから成るバルーン４を立設して載置している。このバルーン４は、狭まった首部４ａの上面に空気孔４ｂを設けている。
【００２７】
さらに、前記枠体２及び前記バルーン４には、上方からカバー５が被せられており、この時、このカバー５の前部略中央に設けられた円形状の開口５ａから前記バルーン４の首部４ａを突出させている。また、当該カバー５の前部で前記枠体２の上面の開口部を塞いでいる。
【００２８】
また、前記カバー５の後部はペダル３の上方まで設けられて、当該カバー５の下方に、このエアポンプＡのペダル３側の開口を成して、靴挿入口８を形成している。
【００２９】
さらに、図５に示すように、前記枠体２の上面の四隅に設けられたねじ孔２ｄとこれらのねじ孔２ｄの位置に対応して、図７及び図８に示すように、前記カバー５の上面の四隅に設けられた貫通したねじ孔５ｂの位置を合せてこれらをねじ止めして固着している。この様にして、エアポンプＡは形成される。
【００３０】
次に、このエアポンプＡの使用方法を説明する。
ここでは、一例として、電気工事の架空配電線の作業において説明する。まず、工事車両のバケット（図示省略）の操作盤（図示省略）のエアカプラ（図示省略）に接続されたエアホース９の一端を、エアポンプＡのバルーン４の空気孔４ｂに接続する。その後、このエアポンプＡをバケット内の床に載置する。
【００３１】
そして、バケット内で作業者が両手でホットスティック（図示省略）を持ち、エアが必要になった時、図１に示すように、作業者の靴Ｃの先を、エアポンプＡの靴挿入口８内に入れ、ペダル３をバネ３ｂの力に抗して踏むと、第１押圧板６が回転軸２ｃを中心に回動して、当該第１押圧板６に押され、第２押圧板７が上方へ回動する。これにより、押圧体７ｂがバルーン４を押圧し、確実にバルーン４から空気が押し出されてエアホース９を通って、圧縮工具の圧縮を行うことが出来る。また、この時、エアポンプＡのペダル３を１回踏めば、圧縮工具が動いて電線を仮圧縮し、もう１回踏むと電線を本圧縮し、すばやく連続して２回踏めば圧縮工具の圧縮が解除されて開く構成とすることができる。
【００３２】
また、ペダル３から足を外すと、バネ３ｂの力によりペダル３は上方へ上がり、これに連動して、第１押圧板６が回転軸２ｃを中心に下がり、第２押圧板７も下がる。そして、エアホース９等の適宜箇所の一方弁が開いて、エアホース９を介してバルーン４内に空気が入り、弾性によりバルーン４は元の状態（図２の状態）に戻る。
【００３３】
以上の様に、この実施の形態例のエアポンプＡを使用すれば、バルーン４はエアポンプＡ内で常時、確実にエアを排出出来る状態にあり、便利である。また、このエアポンプＡ自体、基台１、ペダル３及びカバー５を鉄製の鋳物で形成する等、ある程度の重量のある材質を選べば、最初に載置された場所からいたずらに動くことがなく安定し、極めて使い勝手が良い。さらに、上方からこのエアポンプＡに対して工具等が落ちてきたとしてもカバー５があるのでむやみにペダル３が押されることがない。
【００３４】
（実施の形態例２）
次に、この考案の実施の形態例２の足踏み式エアポンプ（以下、単に、「エアポンプ」と言う。）Ｂを図に基づいて説明する。ここでは、前記実施の形態例１のエアポンプＡと異なる構成についてのみ説明する。その他の構成は、エアポンプＡと同様であるので省略する。
【００３５】
前記エアポンプＡは、枠体２内の空間でバルーン４を立設させ、カバー５に設けた開口５ａからこのバルーン４の首部４ａを突出させているのに対し、このエアポンプＢでは、図９及び図１０に示すように、バルーン４の首部４ａを横に寝かせ、枠体２の前側板２ｅに開口２ｆを設けてそこにバルーン４の首部４ａから伸びたエアホース９を外部へ導出している。
【００３６】
その際、第２押圧板７上であって、前記前側板２ｅの近くの位置に、間隔をあけて２本のネジ１０、１０を立設させ、この２本のねじ１０、１０の間に、バルーン４の細くなった首部４ａを挟んでいる。また、第２押圧板７上であって、枠体２の後側板２ｇ近くの位置に係止体１１を立設している。
【００３７】
これらのネジ１０、１０及び係止体１１により、バルーン４を第２押圧板上に載置、係止し、ペダル３を踏んだ際、第１押圧板６及び第２押圧板７が回動しても、バルーン４がいたずらに動かず、バルーン４を確実にカバー１２の天井面１２ａに押圧できるようになっている。
【００３８】
前記実施の形態例１では、このエアポンプＡの使用方法を説明するのに、電気工事において説明しているが、このエアポンプＡを使用する用途については電気工事に限らず、このエアポンプＡを使用出来る全ての用途を含むものである。
【００３９】
また、バルーン４の形状を徳利型としているがバルーン４の形状としては徳利型に限定するものではなく、他の形状でも良い。さらに、バルーン４を合成ゴムから形成しているがバルーン４を形成する材料としては、変形自在で通常は元の形状に復元するよう付勢出来るものならば他の材料でも良い。
【００４０】
また、押圧板として、第１押圧板６及び第２押圧板７を使用しているが、押圧板としての構成は、これらに限るものではなく、確実かつ容易にバルーン４を押圧できるものであれば他の構成でも良い。
【００４１】
さらに、前記実施の形態例１では、バルーン４の首部４ａをカバー５の開口５ａから突出させているが、バルーンの首部から伸ばされたエアホース９を前記開口５ａから突出させても良い。また、前記実施の形態例２では、バルーン４の首部４ａから伸びたエアホース９を前側板２ｅの開口２ｆから突出させているが、バルーンの首部を前記開口２ｆから突出させても良い。
【００４２】
また、カバー５の後部をペダル３の上方まで設けているが、カバー５の後部は必ずしもペダル３の上方まで伸ばす必要は無く、少なくとも枠体２の上面を被うものであれば良い。
【符号の説明】
【００４３】
Ａ    エアポンプ        Ｂ     エアポンプ     Ｃ    （作業者の）靴
１    基台              １ａ   ストッパー     ２     枠体
２ａ  左側板            ２ｂ   右側板         ２ｃ   回転軸
２ｄ  ねじ孔            ２ｅ   前側板         ２ｆ   開口
２ｇ  後側板            ３     ペダル         ３ａ   脚部
３ｂ  バネ              ４     バルーン       ４ａ   首部
４ｂ  空気孔            ５     カバー         ５ａ   開口
５ｂ  ねじ孔            ６     第１押圧板     ７     第２押圧板
７ａ  蝶番              ７ｂ   押圧体         ８     靴挿入口
９    エアホース      １０     ねじ         １１     係止体
１２    カバー          １２ａ   天井面
【図１】
0003217467.tif 000003
【図２】
0003217467.tif 000004
【図３】
0003217467.tif 000005
【図４】
0003217467.tif 000006
【図５】
0003217467.tif 000007
【図６】
0003217467.tif 000008
【図７】
0003217467.tif 000009
【図８】
0003217467.tif 000010
【図９】
0003217467.tif 000011
【図１０】
0003217467.tif 000012